(57)【特許請求の範囲】
【請求項１】
指先に装着される伸縮性のシートとシートに固着されたブラシ部とからなる染毛ブラシであって、シートは、ブラシ部の固着域からブラシ部の長手方向に突出した上片、ブラシ部の固着域からブラシ部の両側方に突出した側片、ブラシ部の固着域を挟んで上片と反対側に位置する帯状の下片を備え、ブラシ部が、長さ１〜８ｍｍ、径０．６〜２．０ｍｍの合成樹脂製の多数のブラシ歯が基板に立設したものからなる染毛ブラシ。
【請求項２】
ブラシ部の中央部のブラシ歯が周辺部のブラシ歯に比して短尺であり、ブラシ歯の先端の包絡面がブラシ部の中央部において凹みを有する請求項１記載の染毛ブラシ。
【請求項３】
ブラシ歯の先端の包絡面がブラシ部の中央部において、ブラシ歯の長手方向に２条の凹みを有する請求項２記載の染毛ブラシ。
【請求項４】
指先へ装着した状態において指先の先端側に位置するブラシ部の端部に折れ線が形成されている請求項１記載の染毛ブラシ。
【請求項５】
シートが伸縮性粘着シートからなる請求項１記載の染毛ブラシ。
【発明の詳細な説明】
【０００１】
【発明の属する技術分野】
本発明は、毛髪の部分染めを手軽に行えるようにする染毛ブラシに関する。
【０００２】
【従来の技術】
頭髪全体を染毛後、色の違いが目立つようになった生え際だけを染毛する場合や、部分的な白髪を染毛する場合などに部分染めが行われている。
【０００３】
部分染めをする場合の染毛剤の塗布用具としては、一般にコームが使用されているが、一般ユーザーがコームを用いて手際よく部分染めをすることは難しく、煩雑である。そこで、手軽に部分染めをできるようにするため、ゴム手袋の指先にスポンジや毛を取り付けて染毛できるようにした手袋（実開昭６４−３０３１１号）、肉厚のスポンジで構成した髪の毛染色用指サック（実開昭５６−５８９０２号）等が提案されている。これらによれば、染毛剤を保持するスポンジ等が指と一体となるので、生え際等も指先の繊細な感覚で染毛することができる。
【０００４】
【発明が解決しようとする課題】
従来の手袋式あるいは指サック式の染毛用具は、指にフィットしないと指先の感覚を生かして染毛できないため、指にぴったりとフィットさせることが必要となるが、ユーザーの指のサイズは様々であるため、染毛用具が指にフィットしない場合がある。また、過度に指にフィットすると、指の動きが拘束され、スムーズな染毛動作が妨げられる。
【０００５】
また、スポンジで染毛剤を毛髪につけるようにしているため、毛髪を梳くことができず、染毛剤を毛髪に十分にのばすことができない。
【０００６】
これに対して本発明は、指に装着して手軽に部分染めを行えるようにする染毛用具であって、指の大きさに関わらずに指にフィットさせることができ、染毛剤を毛髪に十分にのばし、かつ毛髪を梳くことも可能とするものを提供することを目的とする。
【０００７】
【課題を解決するための手段】
本発明者は、シートに特定形状のブラシ部を設け、そのシートを指先に巻き付け、貼付等により装着すると、指の大きさに関わらずにブラシ部をフィットさせられること、また、ブラシ部により毛髪を梳くことが可能となり、染毛剤を毛髪に十分にのばせることを見出した。
【０００８】
即ち、本発明は、指先に装着されるシートと、シートに固着されたブラシ部からなり、ブラシ部が、長さ１〜８ｍｍ、径０．６〜２．０ｍｍの合成樹脂製の多数のブラシ歯が基板に立設したものからなる染毛ブラシを提供する。
【０００９】
【実施例】
以下、図面を参照しつつ、本発明を詳細に説明する。なお、各図中、同一符号は同一又は同等の構成要素を表している。
【００１０】
図１は、本発明の一実施例の染毛ブラシ１Ａの平面図（ａ）及び断面図（ｂ）、（ｃ）である。
【００１１】
染毛ブラシ１Ａは、片面が粘着面となっている伸縮性のシート２と、シート２の粘着面上に積層された剥離紙３と、シート２の非粘着面に固着されたブラシ部４からなっている。
【００１２】
ブラシ部４の背後に指の腹が位置する状態で染毛ブラシ１Ａを指に装着できるように、シート２は、装着時に指の先端に被さる上片２ａと、指の側面に被さる側片２ｂと、指の付け根側で指に巻き回される長尺の帯状の下片２ｃ1 、短尺の帯状の下片２ｃ2 を有している。
【００１３】
シート２は伸縮性のシート材料、好ましくは伸縮性かつ防水性のシート材料、例えば、伸縮性ポリウレタンシート等から形成することができる。伸縮性のシート材料からシート２を形成することにより、染毛ブラシ１Ａをしっかりと指にフィットさせた場合でも、指の動きが妨げられることを防止できる。
【００１４】
また、シート２の片面を粘着面とすることにより、染毛ブラシ１Ａを貼付により容易に指に装着することができる。シート２の片面を粘着面とする粘着剤としては、再脱着が容易なものを使用することが好ましい。
【００１５】
剥離紙３は、それをシート２から剥がし取る時に容易につまめるように、一部３ａがシート２から突出している他は、シート２上にちょうど重なっている。
【００１６】
一方、ブラシ部４は、長さ１〜８ｍｍ、径０．６〜２．０ｍｍの合成樹脂製の多数のブラシ歯５を、ブラシ歯５同士の間隔を１．０〜３．０ｍｍとして、基板６に立設させたものである。ブラシ歯５の長さが短すぎると染毛剤の保持量が減少し、また、ブラシ歯５を毛髪内に十分に侵入させることができないので、毛髪を上手く梳くことが困難となる。反対に、ブラシ歯５が長すぎると指先の繊細な感覚が失われ、また、毛髪を梳いた後も染毛剤が毛髪に塗布されず、ブラシ部４内に残留し易くなる。
【００１７】
また、ブラシ歯５の径が大きすぎるとブラシ歯５が毛髪内に侵入しにくくなり、櫛通りが悪く、染毛剤を毛髪に均一にのばすことができなくなる。反対に、径が小さすぎるとブラシ歯５の剛性が失われ、毛髪を梳くことが困難となる。なお、剛性の高い素材でブラシ歯５を形成した場合には、頭皮への刺激が過度に大きくなる。
【００１８】
ブラシ歯５同士の間隔は、染毛剤の保持性と毛髪上での染毛剤の延びの点から、１．０〜３．０ｍｍとすることが好ましい。
【００１９】
ブラシ歯５は全てを同じ長さに形成してもよいが、図１（ｂ）、（ｃ）のようにブラシ部４の中央部のブラシ歯５ａを周辺部のブラシ歯５ｂに比して短尺とし、ブラシ歯５の先端の包絡面がブラシ部４の中央部において凹み７を形成するようにすると、染毛時にこの凹み７に染毛剤を保持させてブラシ部４を毛髪にあてられるので好ましく、特に、ブラシ部４の長手方向に２条の凹み７を形成すると、染毛剤の保持性が向上し、染毛剤のたれ落ちを確実に防止できるので好ましい。
【００２０】
ブラシ歯５の構成材料としては、ブラシ歯５が指歯ブラシに一般に使用されている剛毛よりも硬く、かつ肌にあたって痛くない程度の硬さとなるものを使用する。例えば、エチレン−酢酸ビニル共重合体、エラストマー、ポリプロピレン等が好ましい。
【００２１】
ブラシ部４の基板６の大きさは、指の大きさに対応させて、縦Ｌ1 １５〜２６ｍｍ、横Ｌ2 １０〜１３ｍｍとすることが好ましい。
【００２２】
また、基板６とブラシ歯５とは一体成型により製造することが好ましい。また、ブラシ部４とシート２とは適宜接着剤や熱溶融等により固着する。
【００２３】
この染毛ブラシ１Ａは、染毛時に次のように使用する。まず、必要に応じて手袋を着用し、剥離紙３を剥離除去し、図２のようにシート２の粘着面上に利き手の指８を、指先がブラシ部４の背面に位置するように置く。次いで、上片２ａ、側片２ｂ、短尺の下片２ｃ2 、長尺の下片２ｃ1 を順次指に貼り、図３に示すように指８に染毛ブラシ１Ａを装着する。染毛剤をブラシ部４の凹み７に載せ、ブラシ部４で毛髪を梳かすようにして染毛剤を毛髪に付着させる。このとき、染毛ブラシ１Ａは、任意の大きさの指に対し、その指の動きを拘束しない程度の適度な強さで指８にフィットしているので、生え際等も指先の繊細な感覚を生かして染毛することができる。さらに、シート２は伸縮性材料で形成されているので、指先の動きがシート２の装着により妨げられることはなく、指先は滑らかに動く。したがって、かつて染毛した髪の生え際や通常の白髪の部分染めは勿論、白髪一本からでも容易に手軽に染めることができる。また、この染毛ブラシ１Ａは安価に製造でき、手軽に使い捨てすることができ、携帯用にも適したものとなる。
【００２４】
図４は、本発明の異なる態様の染毛ブラシ１Ｂの平面図である。この染毛ブラシ１Ｂは、前述の染毛ブラシ１Ａに対して、指先へ装着した状態において指先の先端側に位置するブラシ部４の端部に折れ線９が形成されている。したがって、図５に示したように、染毛ブラシ１Ｂは、指８に装着した状態において、指の腹の上だけでなく、指の先端部の上にもブラシ部４が設けられることとなり、生え際等の細かい染毛作業がいっそう容易となる。
【００２５】
本発明は、さらに種々の態様をとることができる。シート２の外形は、ブラシ部４を指先に装着できる限り特に制限はなく、例えば、つけ易さを向上させるために、図１の染毛ブラシ１Ａのシート２において上片２ａと下片２ｃ1 、２ｃ2 を省略し、図６に示す染毛ブラシ１Ｃのように側片２ｂを斜めに幅広く形成してもよく、図７に示す染毛ブラシ１Ｄのように、ブラシ部４に対して帯状の下片２ｃを左右対称に形成し、側片２ｂを指８の先端側にいくにしたがって小さく形成してもよい。あるいは、図８に示す染毛ブラシ１Ｅのように、上片２ａを先端にいくにしたがって幅広く形成してもよく、図９に示す染毛ブラシ１Ｆのように、帯状の側片２ｂを設け、上片や下片を省略してもよい。なお、図６〜図９において、破線は、各染毛ブラシの装着時にそれぞれのブラシ部４の背面にあてた指８を表している。
【００２６】
また、シート２の粘着面を指に貼付することにより染毛ブラシを指に装着するのに代えて、粘着面をもたないシートを使用し、そのシートを指に巻き付けた場合にシート２が相互に重なり合う部分に面ファスナーを設け、それにより染毛ブラシが指に装着されるようにしてもよい。これにより、染毛ブラシを使い捨てにすることなく、繰り返し使用することが可能となる。
【００２７】
本発明の染毛ブラシで塗布することのできる染毛剤の種類には特に制限はない。例えば、酸化染料を含有する第１剤と過酸化水素等の酸化剤を含有する第２剤とを混合使用する２剤式のヘアカラーや、１剤式のヘアマニュキュア等の塗布に使用することができる。特に、２剤式のヘアカラーの塗布に使用する場合、少量の部分染めを手軽に行えるという本発明の染毛ブラシの特徴に合わせて、イージーピールオープン性シール部により離隔された２室の一方に酸化染料剤を封入し、他方に過酸化水素水剤を封入したもの（特願２００１−７８２０２）を用いることが好ましい。
【００２８】
【発明の効果】
本発明によれば、染毛ブラシを指に装着して手軽に部分染めを行うにあたり、指の大きさに関わらず、染毛ブラシを指にフィットさせることができ、また、染毛剤を毛髪に十分にのばし、かつ毛髪を梳くことも可能となる。
【図面の簡単な説明】
【図１】  本発明の染毛ブラシの平面図（ａ）及び断面図（ｂ）、（ｃ）である。
【図２】  本発明の染毛ブラシの装着方法の説明図である。
【図３】  本発明の染毛ブラシを指に装着した状態の斜視図である。
【図４】  本発明の異なる態様の染毛ブラシの平面図である。
【図５】  本発明の染毛ブラシを指に装着した状態の斜視図である。
【図６】  本発明の異なる態様の染毛ブラシの平面図である。
【図７】  本発明の異なる態様の染毛ブラシの平面図である。
【図８】  本発明の異なる態様の染毛ブラシの平面図である。
【図９】  本発明の異なる態様の染毛ブラシの平面図である。
【符号の説明】
１Ａ、１Ｂ、１Ｃ、１Ｄ、１Ｅ、１Ｆ    染毛ブラシ
２    シート
３    剥離紙
４    ブラシ部
５    ブラシ歯
５ａ  ブラシ部の中央部のブラシ歯
５ｂ  ブラシ部の周辺部のブラシ歯
６    基板
７    凹み
８    指
９    折れ線
【図１】
0004106965.tif 000002
【図２】
0004106965.tif 000003
【図３】
0004106965.tif 000004
【図４】
0004106965.tif 000005
【図５】
0004106965.tif 000006
【図６】
0004106965.tif 000007
【図７】
0004106965.tif 000008
【図８】
0004106965.tif 000009
【図９】
0004106965.tif 000010